(57)【特許請求の範囲】
【請求項１】
ユーザ住居に設置される生体情報管理システムにおいて、
ユーザを検査して生体情報を取得する生体検査装置と、
前記生体検査装置から通信により前記生体情報を受けて、前記生体情報を前記ユーザ住居外の外部機関へ通信により送信する送信中継システムと、
前記生体情報を前記外部機関へ送信するタイミングを制御するタイミング制御装置と
を備え、
前記タイミング制御装置は、前記生体情報の緊急度を所定の判断基準により判断する緊急度判断手段と、
前記送信中継システムが前記外部機関へ送信するタイミングを、前記緊急度判断手段が判断した緊急度に応じて調節する送信制御手段と、
を有し、
前記送信中継システムは、前記外部機関から送信されたユーザ用情報を受信する手段を有し、
前記タイミング制御装置は、前記ユーザ用情報に前記緊急度を判断するための新しい判断基準が含まれていた場合、前記所定の判断基準を前記新しい判断基準に更新する生体情報管理システム。
【請求項２】
ユーザ住居に設置され、ユーザを検査して生体情報を取得する生体検査装置と、前記生体検査装置から通信により前記生体情報を受けて、前記生体情報を前記ユーザ住居外の外部機関へ通信により送信する送信中継システムとを備える生体情報管理システムで用いることができる前記生体検査装置において、
前記生体情報の緊急度を所定の判断基準により判断する緊急度判断手段と、
前記緊急度判断手段が判断した緊急度に応じて、前記生体情報を前記送信中継システムを通じて前記外部機関へ送信するタイミングを制御する送信タイミング制御手段と、
前記送信中継システムが、通信外部機関から送信されたユーザ用情報を受信する手段を有する場合において、送信中継システムが受信した前記ユーザ用情報に前記緊急度を判断するための新しい判断基準が含まれていた場合、前記新しい判断基準を受け取り、前記所定の判断基準を前記新しい判断基準に更新する手段と
を備えた生体検査装置。
【発明の詳細な説明】
【０００１】
【発明の属する技術分野】
本発明は、トイレに設置された尿検査装置などを利用して個人の生態情報を収集し、健康管理や医療に役立てるための生体情報管理システムに関する。
【０００２】
【従来の技術】
尿には様々な生体情報が含まれており、健康診断などの時には必ず尿検査が行われる。検査には試験紙が使われ、尿をかけたときの試験紙の色の変化により、尿糖、尿蛋白、ＰＨなど人体の健康異常を目視で判別する。この試験方法は装置が必要でなく、コストも安いことから数多く利用されている。しかし試験紙は使い捨ての上に色変化を利用した目視による判別のため精度が良くないということから、尿糖検査や尿蛋白検査等の生体情報検出機能をもつトイレ装置が提案された。この装置の場合、検査された生体情報の結果はトイレ装置に設置されたＩＣカードリーダライタを介してＩＣカードに書き込まれたり、通信器を通じて同じ宅内のホームサーバーに蓄積されたりという形で保存される。
【０００３】
【発明が解決しようとする課題】
しかしながら、生体情報検出機能を持つ従来のトイレ装置において、検出結果はＩＣカードによる自己管理や、トイレ装置の設置された屋内だけの通信を利用したホームサーバーヘのデータの蓄積にすぎない。よって、この検出結果を基に医師の相談や診療を受けるには、そのデータを記憶したディスクやプリントアウトしたものを病院に持参するなどして医師に渡さなければならず面倒であるし、医師による素早い対応も不可能である。
【０００４】
また、ユーザや医師にとって使い易く、健康管理や医療行為に効果的に役立ち、かつ信頼性のある製品を実現するには、システム構成、個々の構成部品の構成、データの保持や加工や提示の仕方、データの通信の仕方、ユーザの個人識別の手法、尿だけでなく他の生体情報（体重、血圧、体温など）との組み合わせの仕方などの多くの側面において改良を行うことが望まれている。
【０００５】
こうした観点から、本願出願人は以前に特願平１０−３５７６５６号、特願平１０−３５７９９３号、特願平１０−３５７９９４号などで、ユーザ住居と外部の情報サービスセンタ及び医療機関とを電話網やインターネットなどの通信網で結び、ユーザ住居の生体情報検出装置の検出結果を通信網を通じて情報サービスセンタに送って加工したり、通信網を通じて医療機関へ送って医師の専門的診断を受けるなどして、その加工結果や診断結果をユーザ住居へ通信網を通じて返送するというシステムを提案した。このシステムでは、ユーザ住居内には、トイレ室内に設置された生体検査装置、居室などに置かれた、外部の電話網に接続する電話装置（親ノード）、及び、トイレ室内に設置された、親ノードと生体検査装置との間の通信を中継する中継装置（子ノード）などが設けられる。そして、トイレ室内での生体検査装置と子ノード間の通信は例えば赤外線通信で、また、室の異なる親ノードと子ノード間の通信は例えば電波による無線通信又は有線通信で行われる。
【０００６】
このようなシステムでは、装置間の通信が確実に行われること、送信失敗などの通信エラーが生じた場合は適切なリカバリがなされること、必要な通信を適切なタイミングで行うこと、無用な通信を減らすこと、通信回路の電源に電池を用いる場合には消費電力を節約して電池交換の頻度を減らすこと、などが信頼性や利便性を高める上で重要である。
【０００７】
従って、本発明の目的は、上述したような通信面での課題を解決した、信頼性の高い生体情報管理システムを提供することにある。
【０００８】
【課題を解決するための手段】
本発明の生体情報管理システムは、ユーザ住居に設置されるものであって、ユーザを検査して生体情報を取得する生体検査装置と、この生体検査装置から通信により生体情報を受けて、その生体情報をユーザ住居外の外部機関へ通信により送信する送信中継システムと、前記生体情報を前記外部機関へ送信するタイミングを制御するタイミング制御装置とを備える。前記タイミング制御装置は、前記生体情報の緊急度を所定の判断基準により判断する緊急度判断手段と、前記送信中継システムが前記外部機関へ送信するタイミングを、前記緊急度判断手段が判断した緊急度に応じて調節する送信制御手段とを有する。前記送信中継システムは、前記外部機関から送信されたユーザ用情報を受信する手段を有する。そして、前記タイミング制御装置は、前記ユーザ用情報に前記緊急度を判断するための新しい判断基準が含まれていた場合、前記所定の判断基準を前記新しい判断基準に更新する。
【００１６】
この生体情報管理システムによれば、例えば緊急性の高い生体情報はその都度即座に送信し、緊急性の低い生体情報は一定期間分を纏めて送信するなどといように、生体情報の性質に応じた適切なタイミングで、かつ送信回数をいたずらに増やすことなく、生体情報を外部機関に送信することができる。
【００１７】
また、緊急度を判断するための判断基準を、外部機関から受信して更新することができる。これにより、生体情報の評価に影響を与える諸要因の変化や相違（例えば、複数のユーザが入る場合の各ユーザ固有の事情の相違、同一ユーザの場合の健康状態や病状や年齢などの変化、季節や天候や１日の時間帯や居住地などの環境の変化など）に応じて最適な判断基準を使用することができるので、信頼性と利便性が高い。
【００１８】
本発明の他の目的と特徴は、以下の実施形態の説明の中で明らかにされている。
【００１９】
【発明の実施の形態】
図１は、本発明の一実施形態にかかる生体情報管理システムの全体構成を示す。
【００２０】
このシステムは多数のユーザが利用でき、また、それらのユーザが利用する多数の医療機関（病院や保健所など）もこのシステムを利用する。個々のユーザの住居や職場など（以下、ユーザ住居という）１には、ユーザの生体情報を検出するためのユーザシステム９が設置される。また、少なくとも１つの情報サービスセンタ３が設置され、そこには、多数のユーザシステム９から生体情報を一手に集めて加工し診断結果などの付加価値をつけてユーザシステム９にフィードバックするサービスを行うコンピュータシステム（以下、センタシステムという）３１が設置される。このセンタシステム３１は、多数のユーザの生体情報やその医師による診断結果を蓄積するためのデータベース３３を備える。また、個々の医療機関５にも、それぞれの業務を行うためのコンピュータシステム（以下、病院システムという）３５が設置される。
【００２１】
ユーザシステム９、センタシステム３１及び病院システム３５はそれそれ、公衆電話網やインターネットのような公衆通信網７に接続される。この公衆通信網７を通じて、ユーザシステム９からセンタシステム３１へ、ユーザから検出した生の生体情報４１が送られ、それがセンタシステム３１のデータベース３３に蓄積された後、センタシステム３１によってユーザ及び医師の利用に適した形態に加工され、再びデータベース３３に蓄積される。ユーザ用に加工された生体情報４３は、センタシステム３１から公衆通信網７を通じてユーザシステム９へフィードバックされ、ユーザに提示される。また、医師用に加工された生体情報４５は、センタシステム３から公衆通信網７を通じて病院システム３５へ送られ、医師に提示され、それに基づき医師は診断を行う。医師の診断結果は、病院システム３５に入力され、病院システム３５からセンタシステム３１へ送られ、データベース３３に蓄積され、更に、センタシステム３１からユーザシステム９へ送られ、ユーザに提示される。
【００２２】
ユーザシステム９は、ユーザ住居１内に設置された各種の生体情報検出装置、例えば、尿検査装置１９、血流検査装置２１、体重計２３などを備える。尿検査装置１９は、尿糖、尿潜血、尿蛋白、尿ＰＨ等を測定するものであり、トイレブース１１内の便器１３の便座に取り付けられユーザの排泄した尿を採取する採尿装置１５と、この採尿装置１５と導尿管で接続され、採尿装置１５が採取した尿を取り込み検査する検査装置本体１７とを有する。血流検査装置２１は、血圧、脈拍などの血流に関する測定を行う装置で、例えば、ユーザの指を挿入するトンネルをもったアーチ型の形状をもち、例えば、ペーパーホルダ２２の上部のような、指を挿入し易い場所に取り付けられている。体重計２３は、例えば、平板形状を有し、例えば、トイレブース１１の便器１３前の床上のような、トイレ使用時に体重測定するのに適した所に配置される。また、これら以外にも、下痢や血便等の便状態を測定する検便装置や体温計などの他の生体検査装置や、温度計や湿度計や時計などの環境測定装置も、上記の検査装置とは別個に、又は上記の検査装置に組み込んだ形態で設備することができる。また、上記した検査・測定装置の具体的構成や設置場所は一実施形態として例示に過ぎず、他の構成の装置を用いたり、それをトイレブース内の別の場所又はトイレブース以外の適当な場所に設置した実施形態も勿論可能である。例えば、尿検査装置１９は、便器１３に取付けられた便座や局部洗浄装置などに内蔵したり付属品として取付けたりするように構成することもできる。
【００２３】
ユーザシステム９は、また、ユーザ住居内の装置間通信を中継しまた公衆通信網７と通信するための通信・中継システム２９を備える。通信・中継システム２９には、単独電話機、構内電話システム、ホームテレホンシステム、携帯無線電話、ＰＨＳ、通信機能付きパーソナルコンピュータシステム、通信機能付きプリンタ、家庭内ＬＡＮ、無線通信システム、光通信システム、有線通信システム、イントラネットなどの様々なものを含ませることができる。この通信・中継システム２９は、電話回線に接続される親ノード２５と、この親ノード２５と電波による無線双方向通信チャネル５１で結ばれる少なくとも１台の子ノード２７とを備える。子ノード２７は、トイレブース１１内に設置され、トイレブース１１内の検査装置１９、２１、２３の各々と赤外線による双方向通信チャネル５３、５５、５７で結ばれる。子ノード２７は、各検査装置１９、２１、２３と赤外線通信でデータをやりとりでき、且つユーザが操作しやすい場所、例えばトイレブース２７の側壁面に取りつけられる。子ノード２７の主たる機能は、検査装置１９、２１、２３と親ノード２５との間の通信中継機能であるが、その他に、検出された生体情報を蓄積する機能や、蓄積した生体情報を時系列的にグラフで表示する機能や、検出された生態情報に基づいて健康状態の簡単な異常や正常などの簡易判定を行う機能、ユーザが健康状態に関するコメントを入力する機能、ユーザが体重や体温や摂取カロリーなどの数値を入力する機能などを持たせることもできる。さらに、子ノード２７に、便器１３のリモートコントローラ（例えば、ビデや肛門洗浄装置や暖房便座などのリモートコントローラ）や、検査装置１９、２１、２３のリモートコントローラとしての機能を付与することもできる。
【００２４】
本実施形態では、個々の検査装置１９、２１、２３が個別の赤外線チャネル５３、５５、５７を用いてそれぞれ子ノード２７と双方向通信可能に接続されるが、他の通信形態、例えば、尿検査装置１９の本体１７だけが子ノード２７と赤外線通信可能であって、他の検査装置２１、２３は尿検査装置本体１７と有線又は赤外線で通信可能に接続されているような実施形態も可能である。要するに、混信が生じることなく各検査装置１９、２１、２３からのデータが子ノード２７に送られるようになっていればよい。
【００２５】
親ノード２５は、子ノード２７が検査装置１９、２１、２３から収集した生体情報（及び、場合によっては、ユーザ入力されたコメントや数値、検査装置１９、２１、２３の故障や消耗品の状態を示す情報など）を公衆通信網７を通じて情報サービスセンタ３へ送信したり、情報サービスセンタ３から加工された生体情報や医師の診断結果などを受け取って、プリントアウトしたりディスプレイしたりする役割をもつ。また、親ノード２５は、情報サービスセンタ３から受信した情報の中から所定のものを子ノード２７へ送る機能を持つこともできる。例えば、医師の診断結果中に含まれるユーザに対する目標値や許容範囲（例えば、尿糖値の目標値、尿糖値が異常か正常かの判定閾値など）を親ノード２５から子ノード２７に送ることによって、子ノード２７において、検査を行ったその場で簡易判定を行ってユーザに結果を返すようなことも可能となる。
【００２６】
図１には示してないが、ユーザシステム９には、誰の生体情報を収集したのかを判別するための個人識別装置も備えている。この個人識別装置は、検査装置１９，２１，２３、通信・中継システム２９のノード２５，２７、便器１３（局部洗浄便座装置など）又はペーパホルダ２２のいずれかに組み込まれていても、それら装置とは別個に単体で設けられていてもよいが、好ましくは、検査を行う際（例えば、便座に座ったとき）にユーザが操作しやすい場所、例えば、トイレブース１１内のペーパホルダ２２の上部、尿検査装置１９や血流検査装置２１や便器（局部洗浄便座装置など）１３のコントローラ部分、又は子ノード２７に組み込まれていたり、或いは、便器１３に取り付けられ又は便器１３の付近に設置される。個人識別の方法としては、ユーザ自身が個人識別装置にキー入力したり個人識別カードを挿入したりする方法、ユーザが血流検査装置２１に指を挿入したり各種装置の作動ボタンを指で押したり或いは特別に設けた指紋検出窓に指を当てたりしたときにユーザの指紋を検出して識別する方法、ユーザに発声させて声紋から判別する方法、ユーザを検査して生体情報を取得したときに今取得した生体情報と過去に取得していた生体情報から学習した個人の生体情報特徴とを照合して識別する方法など、種々の方法を選択的に又は組み合わせて採用することができる。
【００２７】
トイレブース１１内に設置された各種の検査装置１９、２１、１３と子ノード２７との間の通信方式には、確実に通信するために、望ましくは、ハンドシェイクを行なう双方向通信を採用する。この通信を開始するための通信トリガは、子ノード２７からでも、検査装置１９、２１、１３からでも発することができるが、本実施形態では、検査装置１９、２１、１３から通信トリガを発するようにする。
【００２８】
図２は、検査装置１９、２１、１３（代表例として尿検査装置１９の本体１７を図示する）の通信部分と子ノード２７の通信部分の構成を示す。
【００２９】
尿検査装置１９の本体１７は、子ノード２７と赤外線通信を行う通信回路６１と、この通信回路６１を制御する主制御部６２と、通信回路６１や主制御部６３に電力を供給する電源としての電池６３を有する。更に、尿検査装置本体１７は、通信回路６１の電源を入れ切りするためのスイッチ６４を備え、このスイッチ６４は主制御部６２によって制御される。子ノード２７は、検査装置１９、２１、２３と赤外線通信するための通信回路６５と、通信回路６５を制御する主制御部６８と、通信回路６５や主制御部６６に商用電源から得た電力を供給する電源回路６７を有する。子ノード２７では、電源回路６５は常に電源が入っていて、検査装置１９、２１、２３からの赤外線信号を常に受信できるようになっている。
【００３０】
図３は、尿検査装置本体１７の主制御部６２が行う通信回路６１に対する制御動作を示す。
【００３１】
尿検査装置本体１７の主制御部６２は、普段はスイッチ６４を開いて通信回路６１の電源を切っている。通信を行う必要が生じると（例えば、測定した生体情報や装置の状態情報を情報サービスセンタへ送る時）（Ｓ１でＹｅｓ）、スイッチ６４を閉じて通信回路６１の電源を入れ（Ｓ２）、そして、通信回路６１から通信トリガを発射させ、子ノード２７との通信接続を確立し、子ノード２７へ生体情報や装置状態情報を送信したり、子ノード２７から加工結果や診断結果などを受信する（Ｓ３）。必要な情報の送受信が終わると、再びスイッチ６４を開いて通信回路６１の電源を切る（Ｓ４）。
【００３２】
このように検査装置１９、２１、１３から通信トリガを発するようにしているため、検査装置１９、２１、１３の通信回路は通信を行うときだけに電源を入れれば良く、検査装置１９、２１、１３側の消費電力が減る。これにより、検査装置１９、２１、１３の電源である電池６３の寿命が延び電池交換の頻度が減る。尚、検査装置１９、２１、１３の電源に電池を用いる利点は、電源配線の煩わしさがなく、また検査装置１９、２１、１３の設置場所の変更が容易になることである。因みに、子ノード２７は、壁などに固定設置されることが多いから、その電源に商用電源を用いても支障は比較的少ない。
【００３３】
さて、検査装置１９、２１、２３と子ノード２７間、子ノード２７と親ノード２５間、親ノード２５とセンタシステム３１間などでは、情報の送信が成功したか否かを確認するために、受信が完了した段階で受信側から送信側へ完了通知を送り、送信側は完了通知を受ければ送信成功、完了通知を受けなければ送信失敗と判断するようになっている。送信失敗の場合、送信側は送信情報を保存しておき、その保存した送信情報を適当な機会に自動的に又はユーザのボタン操作などによって再送信するようになっている。ユーザシステム９では、検査装置１９、２１、２３から子ノード２７への送信に失敗した場合、その送信失敗した送信情報を検査装置１９、２１、２３に保存しておく。検査装置１９、２１、２３には、図２に示すように再送信ボタン６９が設けられており、このボタンをユーザが押すと、その保存しておいた送信情報を検査装置１９、２１、２３から子ノード２７へ再送信する。尚、子ノード２７から親ノード２５への送信に失敗した場合や、親ノード２５からセンタシステム３１への送信に失敗した場合にも、同様に、検査装置１９、２１、２３に送信情報を保存しておき再送信ボタン６９の操作で再送信できるようにしてもよい。
【００３４】
通信回路が正常に機能しているか否か、送信が成功したか失敗したか、及び失敗した場合に再送信を受け付けるか否かをユーザに知らせるために、検査装置１９、２１、２３は、図２に示すように、通信回路６１の通電中にだけ点灯するランプ（以下、「通信ランプ」という）６８を有する。
【００３５】
図４は、送信成功したときの通信ランプの動作を、生体情報の測定動作と送信動作のタイミングと共に示す。図５は送信失敗したとの通信ランプの動作を、生体情報の測定動作と送信動作のタイミングと共に示す。図６は、送信成功か失敗かに応じて主制御部６２が行う制御のフローチャートを示す。
【００３６】
図４（及び図６）に示すように、ユーザが検査装置１９、２１、２３を使用すると、検査装置１９、２１、２３は生体情報や装置状態の測定を行い（動作７０）、測定が終了すると、既に説明したように通信回路６１に通電する。通信回路６１が通電されている間、通信ランプが点灯し続け（動作７１）、その間に測定情報の送信が行なわれる（動作７２）。子ノード２７から完了通知を受信して送信成功と判断されると（図６、ステップＳ５でＹｅｓ）、通信ランプは例えば２Ｈｚ程度でゆっくりと例えば数秒間程度にわたり点滅して（動作７３）（図６、Ｓ６）、ユーザに送信成功を報知する。その後、通信回路６１の電源が切られ（送信完了直後に切ってもよい）、通信ランプは消灯する。
【００３７】
また、送信失敗の場合には、図５（及び図６）に示すように、測定を行い（動作７４）、測定終了後、通信回路６１に通電し通信ランプを点灯し（動作７５）、その間に測定情報を送信する（動作７６）が、子ノード２７から完了通知が受信できないと、自動的に送信をリトライする（動作７６）。所定回数（例えば３回）送信をリトライしても完了通知が受信できないと、送信失敗と判断し（図６、Ｓ５でＮｏ）、送信情報をメモリに保存し（図６、Ｓ７）、そして、通信ランプを例えば８Ｈｚ以上で速く点滅させて（動作７７）（図６、Ｓ８）、ユーザに送信失敗を報知すると共に、この点滅期間中に再送信ボタン操作を受け付ける（図６、Ｓ９）。つまり、この点滅期間中に再送信ボタンが押されれば（図６、Ｓ９でＹｅｓ）、メモリに保存した送信情報を読み出して子ノード２７へ再送信する（図６、Ｓ１０）。この再送信受付のランプ点滅期間は、ユーザに確実に報知して再送信ボタン操作を行わせるために、例えば１〜２分程度の長い間続く。この再送信受付期間が終わると、通信回路６１の電源を切り、通信ランプを消灯する。再送信受付期間中に再送信ボタンが押されなかった場合は、メモリに保存してある送信失敗した測定情報は、次の測定時にメモリから再び読み出して新しい測定情報と共に送信する、適当な時期に自動的にメモリから読み出して再送信する、或いは、メモリから消去して再送信は全くしないようにすることができる。
【００３８】
このように、検査装置にその通信回路の通電中にだけ点灯する通信ランプを設けることによって、検査装置の電池を無駄に消費することなく、通信回路に正常に通電されているかどうかをユーザに報知できる。もし、電池の入れ忘れや電池消耗や故障などで通信回路に通電されなければ、通信ランプは点灯しないので、ユーザは電池交換や修理などの対策を採ることができ、送信ミスを防止することができる。また、この通電ランプを限定された時間だけ点滅させることで送信が成功したか否か、及び再送信操作を受け付ける期間をユーザに知らせることで、検査装置の電池を無駄に消費することなく、且つ、これ専用の報知手段を併せ持つ必要なしに、送信の成否をユーザに知らせ、且つ送信失敗の場合に再送信操作をユーザに促すことができる。また、送信成否の報知や再送信を促すための報知手段を通信ランプとは別に持つ必要がないということは、装置の小型化や低コスト化に寄与する。
【００３９】
ユーザシステム９は、生体情報や装置状態情報を測定した都度にその測定情報を情報サービスセンタ３に送信していると、通信回数が多大となるため、測定情報をユーザシステム９内の適当な場所（例えば、検査装置１９、２１、２３、子ノード２７又は親ノード２５）に蓄積しておき、定期的に（例えば数日置きに）、蓄積した測定情報を纏めてサービスセンタ３に送信する機能を有している。しかし、測定情報の性質によっては、緊急に情報サービスセンタ３へ送信すべきものもあるため、ユーザシステム９は、測定情報の緊急度を判断して、緊急度に応じたタイミングで測定情報を情報サービスセンタ３に送信できるように構成されている。
【００４０】
図７は、この緊急度を判断して送信タイミングを制御するための装置の構成を示す。
【００４１】
図７に示した装置は、ユーザシステム９内の検査装置１９、２１、２３、子ノード２７又は親ノード２５のいずれかに設けることができる。この装置は、測定情報を受け取りメモリに蓄積すると共にその測定情報の緊急度を判断して送信タイミングを制御する制御部８１と、測定情報の緊急度を判断するための基準が記述されている緊急度テーブル８３と、制御部８１から測定情報を受けて送信する通信部８５とを備える。
【００４２】
図８は、緊急度テーブル８３に記載された緊急度判断基準の概要を例示している。
【００４３】
図８に示すように、例えば、血圧又は体温の急変や、重大な装置エラーは緊急度１（緊急度が高い）、尿糖値又は体重の急変や、消耗品の残量少や、軽度の装置エラーは緊急度２（緊急度が中位）、また、生体情報の変化少は緊急度３（緊急度が低い）というように、測定情報の性質に応じて緊急度が割り当てられる。そして、通常の定期送信の周期が例えば５日であるとすると、緊急度１の生体情報は即座に送信し、緊急度２の測定情報は例えば３日以内に送信し、緊急度３の測定情報は５日置きの定期送信で送信するというように、送信タイミングを制御する。
【００４４】
図９は、緊急度テーブル８３に記載された緊急度判断基準の一つの具体例を示す。
【００４５】
この例は、例えば最高血圧値が２００ｍｍＨｇ以上ならば緊急度１、２００ｍｍＨｇ〜１５０ｍｍＨｇならば緊急度２、１５０ｍｍＨｇ未満ならば緊急度３というように、測定情報の値と所定の閾値との比較により緊急度を割り当てる。
【００４６】
図１０は、緊急度テーブル８３に記載された緊急度判断基準の別の具体例を示す。
【００４７】
この例は、例えば最高血圧値の過去（例えば、前日の測定値）からの上昇量が４０ｍｍＨｇ以上ならば緊急度１、４０ｍｍＨｇ〜２０ｍｍＨｇならば緊急度２、２０ｍｍＨｇ未満ならば緊急度３というように、測定情報の所定過去からの変化量（変化率）と所定閾値との比較により、つまり、測定情報の推移状況に応じて、緊急度を割り当てる。
【００４８】
具体的にどのような判断基準を用いるかは、個々の測定情報毎に最適に決定する。
【００４９】
図１１は、図７に示した送信タイミング制御装置の制御部８１の動作を示す。
【００５０】
まず、測定情報の入力があると（Ｓ１１でＹｅｓ）、緊急度テーブル８３を参照して、その入力した現在の測定情報の緊急度を判断する（Ｓ１２）。その結果、緊急度１と判断した場合には、その現在の測定情報を緊急度１の情報としてメモリに保存する（Ｓ１３）と共に、その現在の測定情報を直ちに通信部８５へ渡して情報サービスセンタ３へ送信する（Ｓ１８）。このとき、メモリ内に保存されている緊急度２や緊急度３の未送信の過去の測定情報もメモリから読み出して、緊急度１の現在の測定情報と併せて送信してもよい。
【００５１】
また、現在の測定情報が緊急度２又は緊急度３と判断した場合には、その現在の測定情報を、判断した緊急度２又は緊急度３の情報としてメモリに保存する（Ｓ１４又はＳ１５）。続いて、定期的な（例えば５日置きの）送信タイミングが来ているか否かを判断し（Ｓ１６）、来ていれば（Ｙｅｓ）、メモリに保存されている未送信の過去の測定情報をメモリから読み出し、これを通信部８５へ渡して送信する（Ｓ１８）。
【００５２】
一方、現在の測定情報が緊急度２又は緊急度３と判断した場合であって、まだ定期的な送信タイミングが来ていない場合には（Ｓ１６でＮｏ）、次に、メモリに保存されている緊急度２の未送信の測定情報の中に、測定日が現在日より３日前のものがあるか否かをチェックする（ステップ１７）。その結果、有れば（Ｓ１７でＹｅｓ）、メモリに保存されている未送信の過去の測定情報をメモリから読み出し、これを通信部８５へ渡して情報サービスセンタ３へ送信する（Ｓ１８）。また、メモリ内の未送信の緊急度２の測定情報の中に３日前のものが無ければ（Ｓ１７でＮｏ）、情報サービスセンタとの通信は行わない。
【００５３】
また、測定情報の入力がない場合でも（Ｓ１１でＮｏ）、定期的（５日置き）送信のタイミングが来ると（Ｓ１６でＹｅｓ）、メモリに保存されている未送信の過去の測定情報をメモリから読み出し、これを通信部８５へ渡して送信する（Ｓ１８）。これにより、例えば、ユーザが５日以上ユーザ住居を留守にしても、その直前に測定した測定情報が留守中に自動的に送信されることになる。
【００５４】
ステップＳ１８で測定情報を情報サービスセンタ３に送信した後、情報サービスセンタ３から受け取るべき情報があれば、それを受信する（Ｓ１９）。この受信情報の中身は、典型的には、過去に送信した測定情報の加工結果や診断結果などであるが、更に、新しい緊急度テーブルが含まれていることもある。新しい緊急度テーブルを受信した場合には（Ｓ２０でＹｅｓ）、緊急度テーブル８３をその新しい緊急度テーブルに更新する（Ｓ２１）。
【００５５】
このように、測定情報の緊急度に応じて送信タイミングを選択することで、情報サービスセンタ３や医療機関５のサービスをユーザに適切なタイミングで提供することができると共に、必要以上に送信回数が増えることも無く、通信費の無駄もなくなる。また、緊急度の判断基準を、ある測定情報はその測定値自体の大小から判断し、別の測定情報は時間的な変化量の大小から判断するなどというように、個々の測定情報毎に最適に決定することによって、ユーザの健康管理にとって最適な処置を行うことが出来る。また、緊急度の判断基準を情報サービスセンタの判断で更新できるため、緊急度の判断基準を個々のユーザ毎に最適化したり、同じユーザでもその健康状態、病状、年齢、体格、生活環境、季節、１日の時間帯などの違いに応じて最適化することができ、より的確な処置をとることが可能となる。
【００５６】
なお、緊急度の判断基準は、必ずしも上記のようなテーブルの形でなければならないわけではなく、制御部８１が実行する緊急度判断のアゴリズム（プログラム）の中に判断基準が折り込まれていてもよく、この判断プログラム更新することも可能である。
【００５７】
以上、本発明の一実施形態を説明したが、上記の実施形態はあくまで本発明の説明のための例示であり、本発明を上記実施形態にのみ限定する趣旨ではない。従って、本発明は、上記実施形態以外の様々な形態でも実施することができる。
【図面の簡単な説明】
【図１】本発明の一実施形態にかかる生体情報管理システムの全体構成を示すブロック図。
【図２】尿検査装置１９の本体１７の通信部分と子ノード２７の通信部分の構成を示すブロック図。
【図３】尿検査装置本体１７の主制御部の通信制御動作のフローチャート。
【図４】送信成功したときの検査装置の通信ランプの動作を示すタイムチャート。
【図５】送信失敗したときの検査装置の通信ランプの動作を示すタイムチャート。
【図６】送信成功か失敗かに応じて主制御部６２が行う制御のフローチャート。
【図７】測定情報の緊急度を判断して送信タイミングを制御するための装置の構成を示すブロック図。
【図８】緊急度テーブル８３に記載された緊急度判断基準の概要を例示した説明図。
【図９】緊急度テーブル８３に記載された緊急度判断基準の具体例を示した説明図。
【図１０】緊急度テーブル８３に記載された緊急度判断基準の別の具体例を示した説明図。
【図１１】図７の制御部８１の動作を示すフローチャート。
【符号の説明】
１  ユーザ住居
３  情報サービスセンタ
５  医療機関
７  公衆通信網
９  ユーザシステム
１１  トイレブース
１９  尿検査装置
２１  血流検査装置
２５  親ノード
２７  子ノード
２９  通信・中継システム
【図１】
0003562626.tif 000002
【図２】
0003562626.tif 000003
【図３】
0003562626.tif 000004
【図４】
0003562626.tif 000005
【図５】
0003562626.tif 000006
【図６】
0003562626.tif 000007
【図７】
0003562626.tif 000008
【図８】
0003562626.tif 000009
【図９】
0003562626.tif 000010
【図１０】
0003562626.tif 000011
【図１１】
0003562626.tif 000012